【手続補正書】
【提出日】令和3年9月29日(2021.9.29)
【手続補正１】
【補正対象書類名】明細書
【補正対象項目名】０００４
【補正方法】変更
【補正の内容】
【０００４】
そこで、血圧測定装置は、膨張したカフを上腕や手首に密着させるために、ベルトとカフの間にカーラを用いる技術が知られている（例えば、特許文献１参照）。このような血圧測定装置は、カーラにカフを、例えば、両面テープ等の接着層により接着して固定させることで、カーラにカフを一体に構成する。
【手続補正２】
【補正対象書類名】明細書
【補正対象項目名】００１１
【補正方法】変更
【補正の内容】
【００１１】
この態様によれば、カフの、幅方向に広い第２対向部をカーラに接合することで接合代が増えるので、カフ及びカーラの接合強度を向上できる。
上記一態様の血圧測定装置において、前記第１対向部は、前記カーラの他の部位よりも幅方向に広い形状に構成される、血圧測定装置が提供される。
この態様によれば、カーラにおいて接合面積を増加する第１対向部を、外郭ケースの端部に厚み方向に対向する領域とすることで、接合面積を増加することによる血圧測定装置の大型化を防止できる。すなわち、カーラの第１対向部、及びカフの第２対向部が、外郭ケースに厚み方向に並ぶので、血圧測定装置１の外観が、第１対向部及び第２対向部により大きく変化することがない。このように、血圧測定装置の大型化を防止できる。
【手続補正３】
【補正対象書類名】明細書
【補正対象項目名】００５６
【補正方法】変更
【補正の内容】
【００５６】
第１対向部５ａは、ビス３５ａ等を用いて裏蓋３５に固定される。なお、カーラ５は、一例としてビス３５ａ等を用いて裏蓋３５と共に、外郭ケース３１又は基部３３の生体側の端部に固定される。なお、裏蓋３５は、ビス３５ａにより、カーラ５と共に外郭ケース３１または基部３３の生体側の端部に固定される構成を説明したが、これに限定されない。カーラ５は、他の例では、接着剤や両面テープ等により構成される接着層により、裏蓋３５の裏面３５ｂに固定されてもよい。なお、裏面３５ｂは、手首２００側の面である。
【手続補正４】
【補正対象書類名】明細書
【補正対象項目名】００５７
【補正方法】変更
【補正の内容】
【００５７】
第１対向部５ａは、カーラ５の第１対向部５ａ以外の部位に比較して幅が広い形状に構成される。第１対向部５ａの面形状は、一例として、裏蓋３５の裏面３５ｂの面形状より小さく構成される。すなわち、第１対向部５ａの面形状は、円形状に構成される裏面３５ｂの面形状より、小さい円形状に構成される。
【手続補正５】
【補正対象書類名】明細書
【補正対象項目名】００５９
【補正方法】変更
【補正の内容】
【００５９】
具体例として、図１及び図２、図４に示すように、カーラ５は、例えば、手首の周方向に対して直交する方向からの側面視、換言すると手首２００の長手方向からの側面視で手首２００の周方向に沿って湾曲する形状を有する。カーラ５は、例えば、装置本体３から手首２００の手の甲側及び手首２００の一方の側方側を通って手首２００の手の平側へと渡り、手首２００の他方の側方側へと延びる。即ち、カーラ５は、手首２００の周方向に沿って湾曲することで、手首２００の周方向の大半に渡って配置されるとともに、両端が所定の間隔を有して離間する。
【手続補正６】
【補正対象書類名】明細書
【補正対象項目名】００６０
【補正方法】変更
【補正の内容】
【００６０】
カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首の周方向に沿って湾曲する形状を維持できることである。
【手続補正７】
【補正対象書類名】明細書
【補正対象項目名】０１０６
【補正方法】変更
【補正の内容】
【０１０６】
このような流体回路７は、第１開閉弁１６Ａ及び第２開閉弁１６Ｂが閉じることで、第１流路７ａのみがポンプ１４と接続し、ポンプ１４及び平カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び甲カフ７４、甲カフ７４及び平カフ７１、並びに、ポンプ１４及びセンシングカフ７３が流体的に接続される。流体回路７は、第１開閉弁１６Ａが閉じ、そして、第２開閉弁１６Ｂが開くことで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【手続補正８】
【補正対象書類名】明細書
【補正対象項目名】０１１６
【補正方法】変更
【補正の内容】
【０１１６】
このように構成された第１の実施形態に係る血圧測定装置１は、カーラ５の第１対向部５ａが第１羽部５ｂを有し、甲カフ７４のカーラ５側に配される第１８シート部材１０６ｌの第２対向部１０７が、第２羽部１０７ａを有する。そして、第２羽部１０７ａは、接着層１０８により第１羽部５ｂに接着されることで、接合される。このように、羽部５ｂ，１０７ａにより、甲カフ７４及びカーラ５を接合する接合面積が増加する。この為、血圧測定装置１は、甲カフ７４及びカーラ５の接合強度を向上できる。さらに、第１羽部５ｂ及び第２羽部１０７ａを用いることで、カーラ５及び甲カフ７４の一部のみ接合代を増加する構成となるので、血圧測定装置１の大型化を防止できる。
【手続補正９】
【補正対象書類名】明細書
【補正対象項目名】０１２３
【補正方法】変更
【補正の内容】
【０１２３】
蓋部５ｅは、ビス３５ａ等を用いて、外郭ケース３１又は基部３３の生体側の端部に固定される。また、蓋部５ｅは、血圧測定装置１を手首２００に装着したときに、カーラ５Ａの一端及び他端が手首２００の一方の側方へ位置するように、カーラ５Ａに設けられている。
【手続補正１０】
【補正対象書類名】明細書
【補正対象項目名】０１２６
【補正方法】変更
【補正の内容】
【０１２６】
このように構成された裏面５ｇは、例えば、第１の実施形態に係る血圧測定装置１の裏蓋３５ｆとカーラ５の第１対向部５ａとの一体物の手首２００側の面と同形状に構成される。なお、第３羽部５ｆは、その面形状が、縁が円弧状の形状に構成されることに限定されない。第３羽部５ｆは、例えば、面形状が矩形状に構成されてもよい。
【手続補正１１】
【補正対象書類名】明細書
【補正対象項目名】０１２７
【補正方法】変更
【補正の内容】
【０１２７】
また、カーラ５Ａは、例えば、手首の周方向に対して直交する方向からの側面視、換言すると手首２００の長手方向からの側面視で手首２００の周方向に沿って湾曲する形状を有する。カーラ５Ａは、例えば、装置本体３から手首２００の手の甲側及び手首２００の一方の側方側を通って手首２００の手の平側へと渡り、手首２００の他方の側方側へと延びる。即ち、カーラ５Ａは、手首２００の周方向に沿って湾曲することで、手首２００の周方向の大半に渡って配置されるとともに、両端が所定の間隔を有して離間する。
【手続補正１２】
【補正対象書類名】明細書
【補正対象項目名】０１２８
【補正方法】変更
【補正の内容】
【０１２８】
カーラ５Ａは、可撓性及び形状保持性を有する硬さを有する。ここで、可撓性とは、カーラ５Ａにベルト４の外力が印加されたときに径方向に形状が変形することをいう。例えば、可撓性とは、ベルト４によってカーラ５Ａが押圧されたときに、手首に近接するか、手首の形状に沿うか、又は、手首の形状に倣うように側面視の形状が変形することをいう。また、形状保持性とは、外力が印加されないときに、カーラ５Ａが予め賦形された形状を維持できることをいう。例えば、形状保持性とは、本実施形態においてはカーラ５Ａの形状が手首の周方向に沿って湾曲する形状を維持できることである。
【手続補正１３】
【補正対象書類名】明細書
【補正対象項目名】０１２９
【補正方法】変更
【補正の内容】
【０１２９】
カーラ５Ａは、内周面にカフ構造体６が配置され、そして、カーラ５Ａの内周面形状に沿ってカフ構造体６を保持する。具体例として、カーラ５Ａは、平カフ７１及び甲カフ７４が内周面に配置され、接合部材８により、平カフ７１及び甲カフ７４が接合される。
【手続補正１４】
【補正対象書類名】明細書
【補正対象項目名】０１３０
【補正方法】変更
【補正の内容】
【０１３０】
カーラ５Ａは、樹脂材料で形成される。カーラ５Ａは、例えば、熱可塑性樹脂材料、具体例として、ポリプロピレンによって形成される。カーラ５Ａは、例えば、厚さが１ｍｍ程度に形成される。
【手続補正１５】
【補正対象書類名】明細書
【補正対象項目名】０１３３
【補正方法】変更
【補正の内容】
【０１３３】
さらに、第２対向部１０７Ａの面形状は、蓋部５ｅの面形状より、例えば、大きい形状に構成される。具体例として、第２対向部１０７Ａは、第１８シート部材１０６ｌの長手方向で第２対向部１０７Ａの両側の部分に比較して、幅方向に延出する第２羽部１０７ａ１を有する。第２羽部１０７ａ１は、第１８シート部材１０６ｌの幅方向で両側に１つずつ形成される。第２羽部１０７ａ１は、一例として、面形状で蓋部５ｅの第３羽部５ｆの縁の円弧よりも大径の円弧状の縁を有する形状に構成される。
【手続補正１６】
【補正対象書類名】明細書
【補正対象項目名】０１３８
【補正方法】変更
【補正の内容】
【０１３８】
図２１は、甲カフ７４の２つの第２羽部１０７ａ１のうち一方の近傍を手首２００側から見た下面図である。図２２は、甲カフ７４の２つの第２羽部１０７ａ１のうち一方を示す断面図であり、図２１に示すＸＸＩＩ−ＸＸＩＩ線断面で示す断面図である。図２１及び図２２に示すように、血圧測定装置１は、第２の実施形態の構成に加えて、さらに、２つのカバー部材１１０を備える。
【手続補正１７】
【補正対象書類名】明細書
【補正対象項目名】０１３９
【補正方法】変更
【補正の内容】
【０１３９】
第２羽部１０７ａ１の縁は、第３羽部５ｆの裏面５ｇの縁の切欠部５ｈの内径よりも小さい径を有する円弧に構成される。第２羽部１０７ａ１は、接着層１０８により、第３羽部５ｆの手首２００側の裏面５ｇの切り欠き５ｇを除いた領域に接着されることで接合される。
【手続補正１８】
【補正対象書類名】明細書
【補正対象項目名】０１４８
【補正方法】変更
【補正の内容】
【０１４８】
また、上述した第３の実施形態では、蓋部５ｅは、切欠部５ｈを有する構成を説明したが、これに限定されない。例えば、図２３に示す変形例のように、蓋部５ｅは、切欠部５ｈを有さない構成であってもよい。
【手続補正１９】
【補正対象書類名】明細書
【補正対象項目名】０１６６
【補正方法】変更
【補正の内容】
【０１６６】
また、上述した第３の実施形態では、第２羽部１０７ａは、接着層１０８により蓋部５ｅに接合される構成を説明したが、これに限定されない。例えば、第２羽部１０７ａは、蓋部５ｅに、接合部材により接合されてもよい。接合部材とは、二つの部材を機械的に接合する部材であり、例えば、カシメ用の突起、リベット、縫製用の糸等を含む。